(57)【要約】【課題】  モデルの長時間の協力がなくても制作が行える横顔置物であって、かつ、芸術的な表現方法としてもユニークな作品である横顔置物の提供。【解決手段】  円柱体の周面に人間の横顔の輪郭を模した凹凸部を設けて該円柱体の長手方向軸線を中心とした回転対称に形成した横顔置物であって、人間のモデルの横顔を撮影し、撮影された画像をモデルの横顔の実寸に合うように倍率を調整して印刷し、印刷された画像からモデルの横顔輪郭線をトレースし、トレースされた該横顔輪郭線に基づいて型板を制作し、該型板に基づいて前記凹凸部形状を円柱体周面に形成する一連の工程により制作されることを特徴とする横顔置物。【選択図】  図１
0003148774.tif 000002
【実用新案登録請求の範囲】
【請求項１】
円柱体の周面に人間の横顔の輪郭を模した凹凸部を設けて該円柱体の長手方向軸線を中心とした回転対称に形成した横顔置物であって、人間のモデルの横顔を撮影し、撮影された画像をモデルの横顔の実寸に合うように倍率を調整して印刷し、印刷された画像からモデルの横顔輪郭線をトレースし、トレースされた該横顔輪郭線に基づいて型板を制作し、該型板に基づいて前記凹凸部形状を円柱体周面に形成する一連の工程により制作されることを特徴とする横顔置物。
【請求項２】
前記モデルの横顔を撮影する工程でモデルが顔の前に基準物を掲げ、撮影された画像を印刷する工程で該基準物の大きさを基準としてモデルの横顔の実寸に合うように画像の倍率を調整することを特徴とする請求項１に記載の横顔置物。
【請求項３】
前記基準物が市販されている飲料用の缶であることを特徴とする請求項２に記載の横顔置物。
【考案の詳細な説明】
【技術分野】
【０００１】
本考案は、実在の人間の横顔の輪郭を模った置物に関するものである。
【背景技術】
【０００２】
従来、実在のモデルの顔貌を正確に模した真正寸法の彫像は、特許文献１に開示されているような公知の型取り技術によって製作されることが一般的である。
【０００３】
しかし、かかる型取り作業には長時間にわたるモデルの協力が必須である。また、従来の胸像は基本的には実在する人間の顔の造詣を三次元的に再現することを目指しており、芸術的な表現方法としてはありふれたものであった。
【０００４】
【特許文献１】特開平０８−２３０３９９
【考案の開示】
【考案が解決しようとする課題】
【０００５】
そこで本考案は、従来の胸像製作に関する欠点を克服し、モデルの長時間の協力がなくても制作が行える横顔置物であって、かつ、芸術的な表現方法としてもユニークな作品である横顔置物の提供をその課題とするものである。
【課題を解決するための手段】
【０００６】
本考案は、上記課題を解決するものであり、円柱体の周面に人間の横顔の輪郭を模した凹凸部を設けて該円柱体の長手方向軸線を中心とした回転対称に形成した横顔置物であって、人間のモデルの横顔を撮影し、撮影された画像をモデルの横顔の実寸に合うように倍率を調整して印刷し、印刷された画像からモデルの横顔輪郭線をトレースし、トレースされた該横顔輪郭線に基づいて型板を制作し、該型板に基づいて前記凹凸部形状を円柱体周面に形成する一連の工程により制作されることを特徴とする横顔置物である。
【考案の効果】
【０００７】
すなわち、本考案の横顔置物は、円柱体の周面に実在する人間の横顔の輪郭を模った凹凸部が形成されている。そして、通常の胸像などとは異なり、実在のモデルの横顔の凹凸を反転して円柱体の周面に彫り込んでいるため、一見したところ、本考案の置物は、何の変哲もない花瓶や壺のようにも見えるという騙し絵的効果を得ることができる。
【０００８】
また、本考案の制作においては、モデルの横顔を撮影し、その画像より横顔輪郭線をトレースすればよいため、従来のようにモデルによる長時間の協力がなくとも正確な輪郭形状を再現することができ、より簡易な作業によって横顔の輪郭を模した置物を作成することができる。
【０００９】
さらに、本考案の制作において、寸法調整用の基準物として市販の飲料用の缶を使用する場合、印刷時に容易に倍率を決定することができるため、制作作業がより一層容易になる。
【考案を実施するための最良の形態】
【００１０】
以下、本考案の横顔置物の実施態様を具体的に説明する。なお、本考案はこれら実施態様に何ら制約されるものではない。
【００１１】
図１は本考案に係る横顔置物の正面図、図２は本考案に係る横顔置物の制作の一工程におけるモデルの横顔を撮影した画像を表す図、図３は本考案に係る横顔置物の制作の一工程におけるモデルの横顔の輪郭を描いた原図を表す図である。図中、1は横顔置物、１１は凹凸部、１２は冠部、１３は台座部、２は画像、２１は飲料缶、２２はモデル、３は原図、３１１および３１２は横顔輪郭線、３２は中心線をそれぞれ示す。
【００１２】
図１に示すように、本実施態様に係る横顔置物１は円柱体の上部と下部を除いた周面の全周にわたって人間の横顔の輪郭を模した凹凸部１１が形成され、円柱体の長手方向軸線（図示せず）を中心とした回転対称形になっている。そして、凹凸部１１が形成されない円柱体の上部は冠部１２、下部は台座部１３をそれぞれ構成する。かかる凹凸部１１は、実在する人間の横顔のおよそ額部分から顎にかけての輪郭から取られた輪郭線に基づいて形成されており、横顔の突出する部分が凹み、凹んだ部分が突出するよう、すなわち、凹凸が実際の横顔の輪郭とは反転するように形成されている。そのため、横顔置物１を水平方向から見たときに、凹凸部１１はちょうど人の顔が互いに向き合っているように見える。
【００１３】
冠部１２および台座部１３は、置物としての安定性や意匠的なバランスを考慮して設けられているが、これらは必須ではなく、円柱体の上端から下端に至る全ての周面に凹凸部１１を設けても良い。更に、冠部１２はその天面を掘り込んで凹部を設けることにより、その凹部を小物置等として利用することもできる。
【００１４】
本実施態様に係る横顔置物１は、凹凸部１１を形成するにあたり彫り込む加工が容易であるため、材質としては木製であることが望ましいが、その他の材質、例えば、金属、石材、合成樹脂、紙等の素材であってもよい。
【００１５】
以下では、本考案に係る横顔置物の製作方法について説明する。まず、モデルとなる実在の人物の横顔の写真を撮影する。図２に示すように、モデル２２は片手で基準物となる飲料缶２１を缶全体が見えるように顔の前に掲げる。モデル２２の口と飲料缶２１との間は３〜４センチ程度間隔を開けておくが、基本的に飲料缶２１を保持する位置としては、実際に飲料を飲むときに缶が保持される位置と同等にする。すなわち、飲料缶２１は顔の中心線上に位置し、缶の飲み口が口の高さに維持される。ここでは、撮影者側から見た飲料缶２１との距離、すなわち、飲料缶２１がモデル２２の顔の中心線上に位置していることが特に重要となる。
【００１６】
撮影の際は、モデル２２の額のラインが見えるように、必要に応じて、帽子やバンダナ等で前髪を隠すことが望ましい。そして、モデル２２より８０センチないし１メートルの距離で、モデル２２の真横の方向より撮影する。後述するように、飲料缶２１は画像を実寸に拡大するときに基準物として用いられるため、規格で缶径が統一されている市販の缶飲料の缶を用いる。なお、規格品であれば、飲料の内容量ついては１９０ｇ、３５０ｇ、５００ｇ等、いずれの缶であっても利用することができる。
【００１７】
次に、撮影された画像を紙面に印刷する。その際、モデルの横顔の実寸に合うように倍率を調整する。具体的には、印刷された画像の飲料缶２１の直径を測る。たとえば、３５０ｇの飲料缶の直径が４０ｍｍで印刷されている場合、３５０ｇの飲料缶の缶径は規格で６６ｍｍとなっているため、画像を実際の寸法に拡大するための倍率を算出するには、下記計算式に基づいて計算すればよい。
６６（規格の缶径）÷４０（画像の缶の径）＝１．６５（倍率）
【００１８】
次に、上記の計算式で算出された倍率（１６５％）をかけて、画像を拡大印刷する。この作業により、モデルの横顔が原寸大で印刷される。そして、かかる原寸大画像を基にして、横顔の輪郭線をトレーシングする。具体的には、原寸大画像にトレーシングペーパーをあて、横顔の輪郭線を手書きにて写し取る。
【００１９】
次に、横顔の輪郭線３１１の横で、トレーシングペーパーの中央部に中心線３２を書き、その中心線３２からトレーシングペーパーを二つ折りにする。そして、二つ折りの上から輪郭線３１１をなぞって新たに輪郭線３１２を書き、これを広げると、図３に示すように横顔の輪郭線が互いに向き合った原図３となる。かかる原図３に、冠部１２および台座部１３となる部分の線を適宜加筆し、型板のもととなる最終原図が完成する。
【００２０】
かかる最終原図を基にして、横顔置物の形を切り抜いた木製型板を作成し、後はこの型板を自動木工倣い旋盤にセットして、材料となる円柱体の木材の周面から横顔の輪郭を模した凹凸部を削り出す。最後は、型板に当てながら細部を加工して横顔置物は完成する。
【００２１】
モデルの撮影のときに使用する基準物は、規格で大きさ等が決められており、倍率算出の基準となれば、飲料缶に限らず利用することができる。しかし、飲料缶の場合、自ずと缶を顔の中心に合わせて保持するため、撮影時に顔の中心線すなわち横顔の輪郭線とのずれが少なく、その結果、より正確な寸法を出すことができるため望ましい。
【図面の簡単な説明】
【００２２】
【図１】本考案にかかる横顔置物の正面図。
【図２】本考案にかかる横顔置物の制作の一工程におけるモデルの横顔を撮影した画像を表す図。
【図３】本考案にかかる横顔置物の制作の一工程におけるモデルの横顔の輪郭を描いた原図を表す図。
【符号の説明】
【００２３】
１  …  …  横顔置物
２  …  …  画像
３  …  …  原図
１１  …  …  凹凸部
１２  …  …  冠部
１３  …  …  台座部
２１  …  …  飲料缶
２２  …  …  モデル
３２  …  …  中心線
３１１  …  …  横顔輪郭線
３１２  …  …  横顔輪郭線
以    上
【図１】
0003148774.tif 000003
【図２】
0003148774.tif 000004
【図３】
0003148774.tif 000005